(57)【特許請求の範囲】
【請求項１】
内管と鞘管とを有し、建物の基礎を貫通する排水管を施工するための基礎貫通用二重管継手であって、
前記内管は、
所定角度で湾曲するエルボ部、および
前記エルボ部の下流側に設けられ、前記基礎の立上り部の厚みよりも大きい軸方向長さを有する横管部を備え、
前記鞘管は、
横向きに開口する横開口部、
前記横開口部の上流側に設けられ、当該横開口部の基端部から上向きに湾曲する湾曲部、および
前記湾曲部の上流側に設けられ、上向きに開口するかつ前記内管を抜き差し可能な大きさを有する上開口部を備え、
前記エルボ部と前記横管部とは、前記内管を前記鞘管内に差し入れる前に接合されて一体化されており、
前記横管部の軸方向長さは、前記内管を前記鞘管内に差し入れて前記基礎の立上り部側に寄せたとき、当該横管部の先端部分が屋外側配管と接続可能な突出長さで屋外に突出する長さであり、
前記鞘管は、前記エルボ部と前記横管部とが一体化された状態の前記内管を前記上開口部から抜き差し可能である、基礎貫通用二重管継手。
【請求項２】
前記横開口部の軸方向における前記上開口部の内径は、前記鞘管内に前記内管を差し入れる際において、前記横管部の先端が前記横開口部の基端部に達したときに前記エルボ部の後端側部分が前記上開口部の端面に当たらない大きさに設定される、請求項１記載の基礎貫通用二重管継手。
【請求項３】
前記横開口部の軸方向と直交する方向における前記上開口部の内径は、前記エルボ部の外径と同じまたは略同じ大きさに設定される、請求項１または２記載の基礎貫通用二重管継手。
【請求項４】
前記湾曲部の外面に設けられる固定用の脚部をさらに備える、請求項１ないし３のいずれかに記載の基礎貫通用二重管継手。
【請求項５】
前記基礎は布基礎である、請求項１ないし４のいずれかに記載の基礎貫通用二重管継手。
【請求項６】
基礎貫通用二重管継手を用いて、建物の基礎を貫通する排水管を施工する管路施工方法であって、
前記基礎貫通用二重管継手は、内管と鞘管とを有し、
前記内管は、所定角度で湾曲するエルボ部と、前記エルボ部の下流側に設けられ、前記基礎の立上り部の厚みよりも大きい軸方向長さを有する横管部とを備え、
前記鞘管は、横向きに開口する横開口部と、前記横開口部の上流側に設けられ、当該横開口部の基端部から上向きに湾曲する湾曲部と、前記湾曲部の上流側に設けられ、上向きに開口するかつ前記内管を抜き差し可能な大きさを有する上開口部とを備えるものであり、
（ａ）前記基礎を打設すると共に、前記横開口部が屋外と連通しかつ前記上開口部が屋内と連通するように前記鞘管を所定位置に埋設固定するステップ、
（ｂ）前記上開口部から前記鞘管内に前記内管を差し入れるステップ、および
（ｃ）前記内管を前記基礎の立上り部側に寄せて当該内管の前記横管部の先端部分を屋外に突出させ、前記横管部の先端部分に屋外側配管を接続するステップを含む、管路施工方法。
【請求項７】
（ｄ）前記ステップ（ｃ）の後、接続した前記屋外側配管と共に前記内管を移動させて、前記横開口部の軸方向における当該内管の配置位置を調整するステップをさらに含む、請求項６記載の管路施工方法。
【請求項８】
基礎貫通用二重管継手を用いて施工された排水管を更新する管路更新方法であって、
前記基礎貫通用二重管継手は、内管と鞘管とを有し、
前記内管は、所定角度で湾曲するエルボ部と、前記エルボ部の下流側に設けられ、前記基礎の立上り部の厚みよりも大きい軸方向長さを有する横管部とを備え、
前記鞘管は、横向きに開口する横開口部と、前記横開口部の上流側に設けられ、当該横開口部の基端部から上向きに湾曲する湾曲部と、前記湾曲部の上流側に設けられ、上向きに開口するかつ前記内管を抜き差し可能な大きさを有する上開口部とを備えるものであり、
（ａ）前記排水管の屋内側配管を前記鞘管外部で切断するステップ、
（ｂ）前記ステップ（ａ）の後、前記鞘管内の前記排水管を前記基礎の立上り部側に寄せ、前記立上り部から屋外に突出する前記排水管を当該立上り部の屋外側近傍で切断するステップ、
（ｃ）前記鞘管内に残る前記排水管を当該鞘管の前記上開口部から抜き取るステップ、および
（ｄ）前記鞘管内に新規の排水管を挿通して設置するステップを含む、管路更新方法。
【発明の詳細な説明】
【技術分野】
【０００１】
この発明は、基礎貫通用二重管継手、それを用いる管路施工方法および管路更新方法に関し、特にたとえば、内管と鞘管とを有し、建物の基礎を貫通する排水管を施工するために用いられる、基礎貫通用二重管継手、それを用いる管路施工方法および管路更新方法に関する。
【背景技術】
【０００２】
従来の基礎貫通配管構造の一例が特許文献１に開示されている。特許文献１の技術では、縦鞘管部および横鞘管部を一体に形成した鞘管と長さ調整用ボイド管とが建物のべた基礎内に埋設されることによって、べた基礎を貫通する貫通路が形成される。鞘管の縦鞘管部は、９０°エルボ継手（内管）を挿入できる大きさに形成されており、この縦鞘管部の下部に、破壊、切断または分離できるようにした９０°エルボ継手が収容される。また、この９０°エルボ継手の上流側接続口には、屋内側の縦排水管が接着接合されると共に、下流側接続口には、屋外側の横排水管が接着接合される。
【０００３】
また、特許文献１の技術では、排水管の更新は、９０°エルボ継手を湾曲部で破壊等した後、上流側の縦排水管を縦鞘管部側の開口から引き抜き、下流側の横排水管を長さ調整用ボイド管側の開口から引き抜くことで行われる。
【先行技術文献】
【特許文献】
【０００４】
【特許文献１】特開２００９−１０２９２９号公報
【発明の概要】
【発明が解決しようとする課題】
【０００５】
特許文献１の技術では、鞘管内に排水管を挿通して設置するとき、鞘管の横鞘管部内、つまりべた基礎を貫通する貫通路の中央部において、９０°エルボ継手の下部接続口と下流側の横排水管とを接着接合する。しかし、狭小で目視も困難な鞘管（貫通路）の内部で排水管（内管）の接着接合を適切に行うことは困難である。このため、接合不良が発生して、施工した排水管の止水性に問題が生じる恐れがあり、また、接合部分から接着剤がはみ出して鞘管と内管とが固着してしまう等の不具合が生じる恐れもある。
【０００６】
また、特許文献１の技術では、排水管の更新を行うときには、バール等の工具を鞘管内の隙間に差し込んで、鞘管内で９０°エルボ継手の破壊等を行う。しかし、狭小な鞘管内で工具を用いて９０°エルボ継手を破壊等することは困難である。また、９０°エルボ継手を破壊等するときに、鞘管を傷つけてしまう恐れもある。
【０００７】
それゆえに、この発明の主たる目的は、新規な、基礎貫通用二重管継手、それを用いる管路施工方法および管路更新方法を提供することである。
【０００８】
この発明の他の目的は、施工性に優れ、排水管の更新も容易である、基礎貫通用二重管継手、それを用いる管路施工方法および管路更新方法を提供することである。
【課題を解決するための手段】
【０００９】
第１の発明は、内管と鞘管とを有し、建物の基礎を貫通する排水管を施工するための基礎貫通用二重管継手であって、内管は、所定角度で湾曲するエルボ部、およびエルボ部の下流側に設けられ、基礎の立上り部の厚みよりも大きい軸方向長さを有する横管部を備え、鞘管は、横向きに開口する横開口部、横開口部の上流側に設けられ、当該横開口部の基端部から上向きに湾曲する湾曲部、および湾曲部の上流側に設けられ、上向きに開口するかつ内管を抜き差し可能な大きさを有する上開口部を備え、エルボ部と横管部とは、内管を鞘管内に差し入れる前に接合されて一体化されており、横管部の軸方向長さは、内管を鞘管内に差し入れて基礎の立上り部側に寄せたとき、当該横管部の先端部分が屋外側配管と接続可能な突出長さで屋外に突出する長さであり、鞘管は、エルボ部と横管部とが一体化された状態の内管を上開口部から抜き差し可能である、基礎貫通用二重管継手である。
【００１０】
第１の発明では、基礎貫通用二重管継手は、内管と鞘管とを備え、建物の基礎を貫通する排水管を施工するために用いられる。内管は、所定角度で湾曲するエルボ部と、基礎の立上り部の厚みよりも大きい軸方向長さを有する横管部とを備える。また、鞘管は、横向きに開口する横開口部と、横開口部の基端部から上向きに湾曲する湾曲部と、上向きに開口するかつ内管を抜き差し可能な大きさを有する上開口部とを備える。
【００１１】
上記のように、この基礎貫通用二重管継手は、内管が基礎の立上り部（立上り基礎）の厚みよりも大きい軸方向長さを有する横管部を備え、その内管を抜き差し可能な大きさに鞘管の上開口部が形成される。このため、排水管を施工する際には、内管と屋内側配管および屋外側配管との接続を含む排水管の接続作業を全て、鞘管の外部で行うことが可能となる。また、排水管を更新する際には、排水管の切断作業を全て、鞘管の外部で行うことが可能であり、鞘管内に残る排水管も上開口部から容易に抜き取ることができる。
【００１２】
第１の発明によれば、排水管の接続作業を容易かつ適切に実行でき、配管時の施工性に優れる。また、排水管の更新も容易となる。
【００１３】
第２の発明は、第１の発明に従属し、横開口部の軸方向における上開口部の内径は、鞘管内に内管を差し入れる際において、横管部の先端が横開口部の基端部に達したときにエルボ部の後端側部分が上開口部の端面に当たらない大きさに設定される。
【００１４】
第２の発明では、鞘管の上開口部の横開口部軸方向における内径は、排水管の配管時に内管を鞘管内に差し入れる際において、内管の横管部の先端が横開口部の基端部に達したときに、内管のエルボ部の後端側部分が上開口部の端面に対してたとえばぎりぎり当たらない程度の大きさに設定される（図７(Ｂ)参照）。
【００１５】
第３の発明は、第１または第２の発明に従属し、横開口部の軸方向と直交する方向における上開口部の内径は、エルボ部の外径と同じまたは略同じ大きさに設定される。
【００１６】
第３の発明では、鞘管の上開口部の横開口部軸方向と直交する方向における内径は、内管のエルボ部の外径と同じまたは略同じ大きさに設定される。これにより、上開口部の大きさ（開口面積）が抑えられる。また、鞘管内に内管を配置した際には、内管は、鞘管の側壁に支えられて、横開口部の軸方向と直交する方向に倒れ難くなる。
【００１７】
第４の発明は、第１ないし第３のいずれかの発明に従属し、湾曲部の外面に設けられる固定用の脚部をさらに備える。
【００１８】
第４の発明では、鞘管の湾曲部には、外方に突出する固定用の脚部が設けられる。脚部は、鞘管を設置する際に、土面上に載置されたり、鉄筋と連結されたりすることによって、鞘管を仮固定する。また、土間コンクリートを打設する際などに、生コンクリートの浮力による鞘管の浮きを防止する。
【００１９】
第４の発明によれば、鞘管を埋設固定する際に、鞘管を安定的に仮固定できる。
【００２０】
第５の発明は、第１ないし第４のいずれかの発明に従属し、基礎は布基礎である。
【００２１】
第５の発明では、基礎貫通用二重管継手は、建物の布基礎の立上り部を貫通する排水管を施工するために用いられる。
【００２２】
第６の発明は、基礎貫通用二重管継手を用いて、建物の基礎を貫通する排水管を施工する管路施工方法であって、基礎貫通用二重管継手は、内管と鞘管とを有し、内管は、所定角度で湾曲するエルボ部と、エルボ部の下流側に設けられ、基礎の立上り部の厚みよりも大きい軸方向長さを有する横管部とを備え、鞘管は、横向きに開口する横開口部と、横開口部の上流側に設けられ、当該横開口部の基端部から上向きに湾曲する湾曲部と、湾曲部の上流側に設けられ、上向きに開口するかつ内管を抜き差し可能な大きさを有する上開口部とを備えるものであり、（ａ）基礎を打設すると共に、横開口部が屋外と連通しかつ上開口部が屋内と連通するように鞘管を所定位置に埋設固定するステップ、（ｂ）上開口部から鞘管内に内管を差し入れるステップ、および（ｃ）内管を基礎の立上り部側に寄せて当該内管の横管部の先端部分を屋外に突出させ、横管部の先端部分に屋外側配管を接続するステップを含む、管路施工方法である。
【００２３】
第６の発明では、基礎貫通用二重管継手を用いて建物の基礎を貫通する排水管を施工する。この基礎貫通用二重管継手は、布基礎の立上り部の厚みよりも大きい軸方向長さを有する横管部を備える内管と、その内管を抜き差し可能な大きさに形成される上開口部を備える鞘管とを含むものである。この管路施工方法では、先ず、ステップ(ａ)において、布基礎やべた基礎などのコンクリート基礎を打設すると共に、鞘管の横開口部が屋外と連通しかつ上開口部が屋内と連通するように鞘管を所定位置に埋設固定して、屋内と屋外とを貫通する貫通路（配管通路）を形成する。また、ステップ(ｂ)において、上開口部から鞘管内に内管を差し入れる。そして、ステップ(ｃ)において、内管を基礎の立上り部側に寄せて、内管の横管部の先端部分を屋外に突出させた状態とし、その状態で横管部の先端部分に屋外側配管を接続する。なお、内管の上流側端部（エルボ部の先端部分）に屋内側配管を接続するのは、鞘管内に内管を差し入れる前および後のいずれであってもよい。
【００２４】
第６の発明によれば、第１の発明と同様に、排水管の接続作業を容易かつ適切に実行でき、配管時の施工性に優れる。
【００２５】
第７の発明は、第６の発明に従属し、ステップ（ｃ）の後、接続した屋外側配管と共に内管を移動させて、横開口部の軸方向における当該内管の配置位置を調整するステップをさらに含む。
【００２６】
第７の発明では、ステップ（ｄ）において、ステップ（ｃ）で接続した屋外側配管と共に内管を移動させて、横開口部の軸方向における内管の配置位置を調整する。
【００２７】
第７の発明によれば、埋設設置した鞘管内に内管を配置した後でも、内管の配置位置を調整可能なので、排水管を施工し易い。
【００２８】
第８の発明は、基礎貫通用二重管継手を用いて施工された排水管を更新する管路更新方法であって、記基礎貫通用二重管継手は、内管と鞘管とを有し、内管は、所定角度で湾曲するエルボ部と、エルボ部の下流側に設けられ、基礎の立上り部の厚みよりも大きい軸方向長さを有する横管部とを備え、記鞘管は、横向きに開口する横開口部と、横開口部の上流側に設けられ、当該横開口部の基端部から上向きに湾曲する湾曲部と、湾曲部の上流側に設けられ、上向きに開口するかつ内管を抜き差し可能な大きさを有する上開口部とを備えるものであり、（ａ）排水管の屋内側配管を鞘管外部で切断するステップ、（ｂ）ステップ（ａ）の後、鞘管内の排水管を基礎の立上り部側に寄せ、立上り部から屋外に突出する排水管を当該立上り部の屋外側近傍で切断するステップ、（ｃ）鞘管内に残る排水管を当該鞘管の上開口部から抜き取るステップ、および（ｄ）鞘管内に新規の排水管を挿通して設置するステップを含む、管路更新方法である。
【００２９】
第８の発明では、基礎貫通用二重管継手を用いて施工された排水管を更新する。この基礎貫通用二重管継手は、布基礎の立上り部の厚みよりも大きい軸方向長さを有する横管部を備える内管と、その内管を抜き差し可能な大きさに形成される上開口部を備える鞘管とを含むものである。この管路構成方法では、先ず、ステップ(ａ)において、排水管の屋内側配管を鞘管外部で切断する。また、ステップ(ｂ)において、鞘管内の排水管を基礎の立上り部側、つまり鞘管の横開口部側に寄せる。そして、立上り部から屋外に突出する排水管を立上り部の屋外側の側面近傍で切断する。その後、ステップ(ｃ)において、鞘管内に残る排水管を鞘管の上開口部から抜き取った後、ステップ(ｄ)において、鞘管内に新規の排水管を挿通して設置する。
【００３０】
第８の発明によれば、排水管の切断作業を全て鞘管の外部で行い、また、鞘管内に残る排水管も上開口部から抜き取るだけなので、排水管の更新が容易である。
【発明の効果】
【００３１】
この発明によれば、排水管の接続作業を容易かつ適切に実行でき、配管時の施工性に優れる。また、排水管の更新も容易となる。
【００３２】
この発明の上述の目的，その他の目的，特徴および利点は、図面を参照して行う以下の実施例の詳細な説明から一層明らかとなろう。
【図面の簡単な説明】
【００３３】
【図１】この発明の一実施例の基礎貫通用二重管継手を用いて建物の布基礎を貫通する排水管を施工した様子を示す図解図である。
【図２】図１の基礎貫通用二重管継手を示す斜視図である。
【図３】図１の基礎貫通用二重管継手が備える内管を示す図解図であって、(Ａ)は斜視図であり、(Ｂ)は断面図である。
【図４】図１の基礎貫通用二重管継手が備える鞘管を示す図解図であって、(Ａ)は斜視図であり、(Ｂ)は断面図である。
【図５】図４の鞘管を示す図解図であって、(Ａ)は正面図であり、(Ｂ)は平面図であり、(Ｃ)は横開口部側を示す側面図である。
【図６】図４の鞘管の横開口部の要部を拡大して示す断面図である。
【図７】図１の基礎貫通用二重管継手を用いて布基礎を貫通する排水管を施工する管路施工方法を示す図解図であり、(Ａ)は鞘管を埋設固定した様子を示し、(Ｂ)は鞘管内に内管を差し入れるときの様子を示し、(Ｃ)は鞘管内に内管を差し入れた様子を示す。
【図８】図７の施工工程の続きを示す図解図であり、(Ｄ)は内管の横管部に屋外側配管を接続するときの様子を示し、(Ｅ)は内管の横管部に屋外側配管を接続した様子を示し、(Ｆ)は内管を移動させてその配置位置を調整した様子を示す。
【図９】図１の基礎貫通用二重管継手を用いて施工された排水管を更新する管路更新方法を示す図解図であり、(Ａ)は屋内側で排水管を切断するときの様子を示し、(Ｂ)は屋外側で排水管を切断するときの様子を示し、(Ｃ)は鞘管内から内管を取り出すときの様子を示す。
【図１０】この発明の他の実施例の基礎貫通用二重管継手が備える鞘管を示す図解図であって、(Ａ)は斜視図であり、(Ｂ)は正面図である。
【図１１】この発明のさらに他の実施例の基礎貫通用二重管継手が備える鞘管を示す図解図であって、(Ａ)は斜視図であり、(Ｂ)は横開口部側を示す側面図である。
【図１２】この発明のさらに他の実施例の基礎貫通用二重管継手が備える鞘管を建物のべた基礎に埋設固定した様子を示す図解図である。
【図１３】図１２の基礎貫通用二重管継手が備える鞘管を示す斜視図である。
【発明を実施するための形態】
【００３４】
図１および図２を参照して、この発明の一実施例である基礎貫通用二重管継手（以下、単に「二重管継手」という。）１０は、布基礎やべた基礎などのコンクリート基礎を貫通する排水管を施工するために用いられる。この二重管継手１０は、内管１２と鞘管１４とを備える二重管構造を有している。鞘管１４は、コンクリート基礎の屋内側と屋外側とを連通する貫通路（この実施例では貫通路の一部）を構成する。また、内管１２は、排水管の一部を構成する管であって、鞘管１４（貫通路）内に挿通されて、屋内側配管１１０と屋外側配管１１２とを連結する。
【００３５】
この実施例では、布基礎１００に対して二重管継手１０を適用した例を示す。布基礎１００は、立上り部（立上り基礎）１０２とその下端に設けられるフーチング１０４とを備え、逆Ｔ字形の断面形状を有する。また、立上り部１０２には、布基礎１００の打設時においてボイド孔１０６が予め形成される。ボイド孔１０６は、排水管の外径よりも若干大きい内径を有する断面円形の貫通孔であって、二重管継手１０の鞘管１４と共に上記貫通路を構成する。
【００３６】
なお、布基礎１００の立上り部１０２の厚みは、一般的には１５０〜１７０ｍｍに設定されるが、この実施例では、最も厚い部類に入る１９５ｍｍを想定している。また、施工する排水管は、内径１００ｍｍの合成樹脂管を想定している。後述する二重管継手１０の各部の寸法は、これらに合わせて設定された寸法である。
【００３７】
以下、二重管継手１０の構成について具体的に説明する。二重管継手１０は、上述のように、内管１２および鞘管１４を備える。
【００３８】
図３に示すように、内管１２は、可撓性を有さない硬質管であって、硬質塩化ビニル等の合成樹脂によって形成される。内管１２は、エルボ部２０とその下流側に設けられる横管部２２とを備え、横方向に長い略Ｌ字状に形成される。エルボ部２０は、その一端から他端にかけて９０°の角度で湾曲する曲管状の部分である。また、横管部２２は、エルボ部２０の下流側端部から横方向に延びる直管状の部分である。この実施例では、両端部に受口を有する汎用の９０°エルボの下流側受口に対して、汎用の直管（プレーン管）を接着接合することによって、内管１２が形成される。すなわち、内管１２の上流側端部（曲管部２０側の先端部）には、屋内側配管１１０と接続される受口２４が上向きに形成され、内管１２の下流側端部（横管部２２側の先端部）には、屋外側配管１１２と接続される差口２６が横向きに形成される。
【００３９】
横管部２２の軸方向長さＬ１は、布基礎１００の立上り部１０２の厚みよりも大きく設定され、後述のように、排水管を施工する際、鞘管１４内で内管１２を布基礎１００の立上り部１０２側に寄せたときに、横管部２２の先端部分（差口２６）が立上り部１０２から屋外に突出する長さとされる（図８(Ｄ)参照）。具体的には、横管部２２の軸方向長さＬ１は、たとえば３００ｍｍであり、横管部２２の先端部分が立上り部１０２から屋外に突出する長さは、横管部２２の先端部分に対する屋外側配管１１２の接続作業が可能なように、たとえば５０ｍｍとされる。
【００４０】
また、横管部２２の軸方向における内管１２の全体長さＬ２は、たとえば４２４ｍｍである。また、エルボ部２０の外径、つまり横管部２２の軸方向と直交する方向における内管１２の最大幅は、たとえば１２５ｍｍである。
【００４１】
なお、この実施例では、鞘管１４内に内管１２を挿通したとき、内管１２のエルボ部２０の端面が、後述する鞘管１４の上開口部３４の端面３４ａよりも少し下方に位置するように内管１２を形成している（図２参照）。しかし、これに限定されることはなく、エルボ部２０の端面と上開口部３４の端面３４ａとは面一になっていてもよいし、内管１２のエルボ部２０の端面が上開口部３４の端面３４ａよりも上方に位置していてもよい。つまり、鞘管１４に対するエルボ部２０の上流側端部（受口２４）の配置位置は、適宜変更可能である。
【００４２】
図４および図５に示すように、鞘管１４は、硬質塩化ビニルおよびポリエチレンなどの合成樹脂によって形成される。鞘管１４は、横開口部３０、湾曲部３２および上開口部３４を備え、全体として９０°エルボ状に形成される。横開口部３０は、横方向に延びる断面円形の短直管状に形成され、横向きに開口する。横開口部３０の内径は、たとえば１１９ｍｍである。湾曲部３２は、横管部３０の上流側に設けられ、横管部３０の基端部３０ａから連続して上向きに湾曲する筒状に形成される。また、上開口部３４は、湾曲部３２の上流側に設けられ、上下方向に延びる短直管状に形成されて、上向きに開口する。
【００４３】
上開口部３４は、横開口部３０の軸方向において対向配置される半円筒状の側壁と、横開口部３０の軸方向と直交する方向において対向配置される平板状の側壁とを有し、小判形状（角丸長方形状）に開口する。この上開口部３４の大きさ（開口面積）は、上述のように長い横管部２２を有する内管１２を、分割等することなくそのまま抜き差し可能な大きさに設定される。上開口部３４の大きさは、内管１２をそのまま抜き差し可能な大きさであれば特に限定されないが、部材コストや後述する土間コンクリート１２４の見た目などを考慮すると、なるべく小さくすることが好ましい。
【００４４】
そこで、この実施例では、横開口部３０の軸方向における上開口部３４の内径Ｒ１は、鞘管１４内に内管１２を差し入れる際において、内管１２の横管部２２の先端が横開口部３０の基端部３０ａ（湾曲部３２から横開口部３０への移行部分）に達したときに、内管１２のエルボ部２０の後端側部分２８が上開口部３４の端面３４ａにぎりぎり当たらない程度の大きさに設定される（図７(Ｂ)参照）。これにより、上開口部３４の大きさが抑えられる。また、鞘管１４内に内管１２を配置した際には、内管１２は、横管部２２の軸方向に沿って移動可能となる。つまり、排水管の配管可動域が存在するようになる。上開口部３４の内径Ｒ１は、たとえば３５５ｍｍである。
【００４５】
また、横開口部３０の軸方向と直交する方向における上開口部３４の内径Ｒ２は、内管１２のエルボ部２０の外径と同じまたは略同じ大きさに設定される。これにより、上開口部３４の大きさが抑えられる。また、鞘管１４内に内管１２を挿通した際には、内管１２は、鞘管１４の平板状の側壁に支えられて、横開口部３０の軸方向と直交する方向に倒れ難くなる。上開口部３４の内径Ｒ２は、たとえば１２５ｍｍである。
【００４６】
また、湾曲部３２の外面には、固定用の脚部３６が設けられる。脚部３６は、矩形板状に形成され、湾曲部３２の下面から横開口部３０の軸方向と直交する方向に突出する。脚部３６は、鞘管１４を設置する際には、直接または防湿シート１２２を介して土面上に載置されることで鞘管１４の転倒を防止すると共に、土間コンクリート１２４を打設する際には、生コンクリートの浮力による鞘管１４の浮きを防止する。このような脚部３６を備えることによって、後述のように鞘管１４を埋設固定する際に、鞘管１４を安定的に仮固定できる。
【００４７】
さらに、図６からよく分かるように、横開口部３０の外周面には、鍔状のストッパ３８が設けられる。ストッパ３８は、横開口部３０の外周面から段差状に突き出す突起であって、横開口部３０の周方向全長に亘って延びる。このストッパ３８は、ボイド孔１０６の縁に当接される基礎当接面３８ａを有する。後述のように、横開口部３０をボイド孔１０６に嵌め込んで鞘管１４を設置する際には、ボイド孔１０６の縁と基礎当接面３８ａとが当接することによって、鞘管１４が位置決めされる。また、基礎当接面３８ａをボイド孔１０６の縁の周方向全長に当接させることによって、土間コンクリート１２４を打設する際に、埋め戻し用の土または生コンクリートが、横開口部３０外周面とボイド孔１０６内周面との間の隙間に侵入（流出）することが防止される。
【００４８】
また、基礎当接面３８ａから横開口部３０の先端までの長さは、布基礎１００の立上り部１０２の厚み、つまりボイド孔１０６の軸方向長さよりも小さく設定され、たとえば３０ｍｍに設定される。すなわち、鞘管１４の横開口部３０は、ボイド孔１０６の軸方向全長に亘って嵌め込まれるわけではない。これによって、鞘管１４の小型化を図ることができ、部材コストを低減できる。ただし、基礎当接面３８ａから横開口部３０の先端までの長さは、布基礎１００の立上り部１０２の厚みと同じ、或いはそれより大きく設定することも可能である。
【００４９】
続いて、図７および図８を参照して、二重管継手１０を用いて建物の布基礎１００を貫通する排水管を施工する管路施工方法の一例について説明する。
【００５０】
この管路施工方法では、先ず、図７(Ａ)に示すように、建物の布基礎１００を打設すると共に、鞘管１４の横開口部３０が屋外と連通しかつ上開口部３４が屋内と連通するように、鞘管１４を所定位置に埋設固定する。
【００５１】
具体的には、先ず、布基礎１００を打設するための基礎型枠を形成し、基礎型枠内に鉄筋を配置する。また、排水管の配管位置には、立上り部１０２の下部を厚み方向に貫通するように、円筒状のボイド管を配置しておく。そして、基礎型枠内に生コンクリートを流し込み、所定時間養生してコンクリートが固化した後、基礎型枠およびボイド管を除去する。これによって、立上り部１０２にボイド孔１０６を有する布基礎１００が打設される。ただし、ボイド管は、立上り部１０２に埋め殺しされるものであってもよい。また、ボイド孔１０６の屋内側には、鞘管１４を設置するための空間を設けると共に、屋内側の土１２０の上には、防湿シート１２２を設置しておく。なお、防湿シート１２２は、鞘管１４を載置する部分を切り欠いておくこともできる。
【００５２】
そして、ボイド孔１０６の屋内側端部に鞘管１４の横開口部３０を嵌め込んで、鞘管１４を設置する。この際には、鞘管１４の脚部３６が直接または防湿シート１２２を介して土面上に載置されると共に、ボイド孔１０６の縁と鞘管１４の横開口部３０の基礎当接面３８ａとが当接するまで横開口部３０がボイド孔１０６に嵌め込まれる。ボイド孔１０６に横開口部３０を嵌め込むことで、鞘管１４が安定的に仮固定される。また、脚部３６が土面上に載置されることで、横開口部３０の軸方向周りの鞘管１４の回転が確実に防止され、鞘管１４がより安定的に仮固定される。さらに、ボイド孔１０６の縁と基礎当接面３８ａとが当接することで、鞘管１４が容易に位置決めされる。
【００５３】
その後、鞘管１４の周囲の空間を土で埋め戻した後、或いはそのまま、鞘管１４の上開口部３４の周囲を覆うように土間コンクリート１２４を打設して、鞘管１４を埋設固定する。この際、生コンクリートの浮力による鞘管１４の浮きが脚部３６によって防止される。また、埋め戻し用の土または生コンクリートが横開口部３０外周面とボイド孔１０６内周面との間の隙間に侵入（流出）してしまうことが、ストッパ３８によって防止される。
【００５４】
以上の作業により、布基礎１００の屋内側と屋外側とを連通する貫通路（配管通路）が、鞘管１４およびボイド孔１０６によって形成される。
【００５５】
鞘管１４を埋設固定すると、次に、図７(Ｂ)および(Ｃ)に示すように、鞘管１４内に内管１２を差し入れる。具体的には、先ず、鞘管１４（貫通路）の外部において、内管１２の受口２４に対して屋内側配管（配管部材）１１０を接着接合し、その後、上開口部３４から鞘管１４内に内管１２を斜め方向に差し込む。そして、内管１２の横管部２２の先端が横開口部３０の基端部３０ａに達したときに、横管部２２の先端を支点として内管１２を鞘管１４内に回し入れる。
【００５６】
続いて、図８(Ｄ)に示すように、内管１２を布基礎１００の立上り部１０２側に寄せて、内管１２の横管部２２の先端部分（差口２６）を屋外に突出させる。そして、図８(Ｅ)に示すように、貫通路の外部において、ソケット１１４を介して横管部２２の差口２６に対して屋外側配管（配管部材）１１２を接着接合する。
【００５７】
次に、図８(Ｆ)に示すように、所望する屋内側配管１１０の配管位置に合わせて、接続した屋外側配管１１２と共に内管１２を移動させて、横開口部３０の軸方向における内管１２の配置位置を調整する。その後、ボイド孔１０６の屋外側開口縁にシリコンシーラントなどのコーキング１０８を施し、屋外側配管１１２の外周面とボイド孔１０６の内周面との間の隙間を塞ぐ。なお、図示は省略するが、鞘管１４の上開口部３４には、その上端開口を封止する蓋を適宜設けておくとよい。また、内管１２と鞘管１４との間の隙間をスポンジ等で埋めてもよい。
【００５８】
最後に、屋外側配管１１２の周囲を土等で埋め戻すことによって、布基礎１００の立上り部１０２を貫通する排水管の施工が終了し、図１に示すような基礎貫通配管構造が形成される。
【００５９】
続いて、図９を参照して、上記のように二重管継手１０を用いて施工された排水管を更新する管路更新方法の一例について説明する。
【００６０】
老朽化等により排水管を更新する必要が生じた場合には、先ず、図９(Ａ)に示すように、排水管の屋内側配管１１０を鞘管１４の外部で切断する。なお、図９(Ａ)では、鞘管１４の上開口部３４の端面３４ａ近傍で屋内側配管１１０を切断するようにしているが、この切断位置は、もっと上の方であってもよい。
【００６１】
次に、図９(Ｂ)に示すように、鞘管１４内の排水管を布基礎１００の立上り部１０２側に寄せる。そして、立上り部１０２（ボイド孔１０６）から屋外に突出する排水管を、立上り部１０２の屋外側の側面近傍で切断する。この際には、ソケット１１４の上流端よりも立上り部１０２側の位置において排水管を切断するようにする。これにより、鞘管１４（貫通路）内に残る排水管の全体長さは、内管１２の全体長さＬ２以下の長さとなる。
【００６２】
続いて、図９(Ｃ)に示すように、鞘管１４内に残る排水管を上開口部３４から抜き取る。上述のように、鞘管１４内に残る排水管の全体長さは、内管１２の全体長さＬ２以下の長さとなっているので、鞘管１４内でそれ以上切断することなく、排水管を上開口部３４からそのまま抜き取ることができる。
【００６３】
その後、図７(Ｂ)〜図８(Ｆ)に示した方法と同様にして、新規の排水管を鞘管１４（貫通路）内に挿通して設置することによって、排水管の更新が完了する。
【００６４】
以上のように、この実施例によれば、内管１２が布基礎１００の立上り部１０２の厚みよりも大きい軸方向長さを有する横管部２２を備え、鞘管１４の上開口部３４は、その内管１２を抜き差し可能な大きさを有する。このため、排水管を施工する際には、内管１２と屋内側配管１１０および屋外側配管１１２との接続を含む排水管の接続作業を全て、鞘管１４（貫通路）の外部で行うことが可能となる。したがって、排水管の接続作業を容易かつ適切に実行でき、配管時の施工性に優れる。
【００６５】
また、排水管を更新する際には、排水管の切断作業を全て、鞘管１４（貫通路）の外部で行うことが可能であり、鞘管１４内に残る排水管も上開口部３４から容易に抜き取ることができる。したがって、排水管の更新も容易であり、誤って鞘管１４等を傷付けてしまう恐れもない。
【００６６】
さらに、埋設設置した鞘管１４内に内管１２を配置した後でも、横管部２２の軸方向に沿って内管１２を自由に移動させることができる、つまり内管１２の配置位置を調整可能なので、排水管を施工し易い。
【００６７】
さらにまた、内管１２は、汎用の９０°エルボや直管などを利用して製作でき、専用部材としては鞘管１４を製作するだけでよい。したがって、二重管継手１０の製作コストを低減できる。また、鞘管１４の寸法は、立上り部１０２の厚みとして最も厚い部類に入る１９５ｍｍを想定して設定しているので、それよりも厚みの小さい立上り部１０２を有する布基礎１００に対しても鞘管１４を使用でき、部材コストをより低減できる。
【００６８】
なお、上述の実施例では、汎用の９０°エルボに汎用の直管を接着接合することによって内管１２を形成したが、これに限定されない。たとえば、内管１２は、部材を接続するのではなく予め一体成形されるものであってもよいし、汎用の９０°エルボに汎用の直管をゴム輪接合して形成されるものであってもよい。ただし、専用部品を少なくしてコストを低減するという観点および止水性の観点からは、汎用部材を接着接合して内管１２を形成することが好ましい。
【００６９】
また、上述の実施例では、内管１２の上流側端部を受口２４とし、下流側端部を差口２６としたが、内管１２の両端部は、受口および差口のいずれでも構わない。また、内管１２の両端部は、接着接合されるものではなく、ゴム輪接合されるものであってもよい。
【００７０】
さらに、上述の実施例では、内管１２のエルボ部２０を９０°の角度で湾曲させるようにしたが、エルボ部２０は、たとえば４５°や６０°の角度で湾曲するものであってもよい。
【００７１】
さらにまた、上述の実施例では、鞘管１４内に内管１２を差し入れる際、予め内管１２の受口２４に対して屋内側配管１１０の配管部材（縦管）を接続しておくようにしたが、これを限定されない。たとえば、鞘管１４内に内管１２を差し入れ、内管１２の下流側端部の差口２６に屋外側配管１１２を接続した後、内管１２の受口２４に対して屋内側配管１１０の配管部材を接続してもよい。この場合には、鞘管１４に対するエルボ部２０の上流側端部（受口２４）の配置位置によっては、鞘管１４内での接続となる場合があるが、鞘管１４の上開口部３４の開口端近傍での接続となるため、貫通路の中央部における接続と比較して、容易かつ適切に実行できる。
【００７２】
また、上述の実施例では、内管１２の受口２４に屋内側配管１１０として縦管を接続しているが、これに限定されない。内管１２の受口２４には、たとえば、曲管が接続されてもよいし、直接または接続管を介して、合流桝や旋回桝などの桝が接続されてもよい。
【００７３】
さらに、上述の実施例では、鞘管１４の上開口部３４を小判形状（角丸長方形状）に開口させるようにしたが、上開口部３４は、馬蹄形、楕円形および円形に開口させてもよい。ただし、上開口部３４を馬蹄形などに形成して上開口部３４の側壁に角部を設けると、角部に応力が集中して破損の原因となるため、上開口部３４には角部は設けないことが好ましい。
【００７４】
また、上述の実施例では、鞘管１４の湾曲部３２を比較的緩やかに上向きに湾曲させているが、図１０に示すように、湾曲部３２は、横開口部３０の基端部から略垂直方向に立ち上がるように湾曲させてもよい。これによって、上開口部３４を横開口部３０側、つまり立上り部１０４のより近傍に寄せて配置することが可能となるので、立上り部１０４の屋内側の壁面に沿わせて屋内側配管１１０を配管し易くなる。
【００７５】
さらに、上述の実施例では、横開口部３０の周方向全長に亘って延びるようにストッパ３８を形成したが、ストッパ３８は、必ずしも周方向全長に形成される必要はなく、周方向に間欠的に形成されていてもよい。言い換えると、ストッパ３８の基礎当接面３８ａは、必ずしも周方向全長に亘ってボイド孔１０６の縁と当接する必要はない。
【００７６】
さらに、上述の実施例では、布基礎１００の立上り部１０２に断面円形のボイド孔１０６を形成し、このボイド孔１０６に鞘管１４の横開口部３０を嵌め込むようにしたが、ボイド孔１０６の断面形状は特に限定されない。ボイド孔１０６は、たとえば、断面矩形や断面馬蹄形（アーチ形）の貫通孔であってもよい。この場合には、ボイド孔１０６の形状に合わせて横開口部３０の外形が変更される。
【００７７】
たとえばボイド孔１０６を断面馬蹄形に形成する場合には、図１１に示すように、鞘管１４の横開口部３０の挿入部４０は、ボイド孔１０６の断面形状に合わせて、馬蹄形の外形を有するように形成される。ボイド孔１０６に横開口部３０の挿入部４０を嵌め込むと、挿入部４０の下面が平面状に形成されていることから、横開口部３０の軸方向周りの鞘管１４の回転が確実に防止され、鞘管１４がより安定的に仮固定される。なお、この場合には、ストッパ３８の基礎当接面３８ａは、その略上半分においてボイド孔１０６の縁と当接する。
【００７８】
また、ボイド孔１０６は、たとえば、鞘管１４の挿入部４０が挿入される屋内側部分のみを断面馬蹄形とし、それ以外の屋外側部分は断面円形とすることもできる。この場合には、鞘管１４のストッパ３８は必ずしも設ける必要はなく、鞘管１４の挿入部４０の端面と、ボイド孔１０６の馬蹄形部分の奥側の縁とを当接させることによって、鞘管１４を位置決めするとよい。つまり、鞘管１４の挿入部４０の端面を、横開口部３０の周方向全長に亘る基礎当接面（ストッパ）として機能させることもできる。
【００７９】
また、上述の実施例では、布基礎１００に対して二重管継手１０を適用した例を示したが、図１２に示すように、べた基礎１３０に対して二重管継手１０を適用することもできる。
【００８０】
図１２および図１３に示すように、べた基礎１３０用の二重管継手１０の鞘管１４としては、横開口部３０の軸方向長さの大きいものが用いられ、鞘管１４をべた基礎１３０に埋設固定した際には、鞘管１４の横開口部３０の端面が屋外に露出して開口する。つまり、べた基礎１３０用の二重管継手１０では、鞘管１４のみによって、べた基礎１３０の屋内側と屋外側とを連通する貫通路が構成される。軸方向長さの大きい横開口部３０を有する鞘管１４を製作するときには、たとえば、図４に示す鞘管１４に対して直管（延長用鞘管）を接続するようにしてもよいし、部材を接続するのではなく予め一体成形するようにしてもよい。
【００８１】
二重管継手１０を用いてべた基礎１３０を貫通する排水管を施工する場合には、先ず、べた基礎１３０を打設するための基礎型枠を形成する。基礎型枠内には、鉄筋を適宜配置しておく。また、排水管の配管位置には、鞘管１４の上開口部３４の端面が屋内側に露出し、かつ横開口部３０の端面が屋外側に露出するように、鞘管１４を設置する。この際には、たとえば、鞘管１４の脚部３６を鉄筋上に載置し、結束バンド等の連結具を用いて鉄筋と脚部３６と連結することによって、鞘管１４を仮固定しておくとよい。
【００８２】
鞘管の設置後、基礎型枠内に生コンクリートを流し込み、所定時間養生してコンクリートが固化した後、基礎型枠を除去することによって、鞘管１４が埋設固定されたべた基礎１３０が打設される。その後、図７(Ｂ)〜図８(Ｆ)に示した方法と同様にして、内管１２を含む排水管を鞘管１４内に挿通して設置することによって、べた基礎１３０を貫通する排水管の施工が完了する。
【００８３】
なお、上で挙げた寸法などの具体的数値は、いずれも単なる一例であり、必要に応じて適宜変更可能である。
【符号の説明】
【００８４】
１０  …基礎貫通用二重管継手
１２  …内管
１４  …鞘管
２０  …エルボ部
２２  …横管部
３０  …横開口部
３２  …湾曲部
３４  …上開口部
３６  …脚部
３８  …ストッパ
１００  …布基礎
１０２  …立上り部
１０４  …フーチング
１０６  …ボイド孔
１１０  …屋内側配管
１１２  …屋外側配管
１２４  …土間コンクリート
１３０  …べた基礎
【図１】
0006421007.tif 000002
【図２】
0006421007.tif 000003
【図３】
0006421007.tif 000004
【図４】
0006421007.tif 000005
【図５】
0006421007.tif 000006
【図６】
0006421007.tif 000007
【図７】
0006421007.tif 000008
【図８】
0006421007.tif 000009
【図９】
0006421007.tif 000010
【図１０】
0006421007.tif 000011
【図１１】
0006421007.tif 000012
【図１２】
0006421007.tif 000013
【図１３】
0006421007.tif 000014